(57)【要約】    【課題】  光ピックアップの衝撃を緩和するために専用の部品を使用しないダイナミックダンパ機構を有する光ディスク装置を提供する。    【解決手段】  ベースシャーシに第１の弾性体２を介して取り付けたシャーシ３と、シャーシ上に設けられたシャフト６，７と、シャフト上を移動する光ピックアップ５と、シャーシに第２の弾性体１１を介して取り付けたウエイト１３とを具備し、ウエイト１３は、光ピックアップの移動経路上にストッパ１３ａから１３ｄを設けた構成であることを特徴とする。【選択図】  図１
2005182907.tif 000002
【特許請求の範囲】
【請求項１】
ベースシャーシに第１の弾性体を介して取り付けたシャーシと、該シャーシ上に設けられたシャフトと、該シャフト上を移動する光ピックアップと、前記シャーシに第２の弾性体を介して取り付けたウエイトとを具備し、前記ウエイトは、前記光ピックアップの移動経路上にストッパを設けた構成であることを特徴とする光ディスク装置。
【請求項２】
請求項１記載の光ディスク装置であって、前記第２の弾性体は、第１のフランジと、第２のフランジを有しており、両フランジは前記ウエイトを挟むように設けられることを特徴とする光ディスク装置。
【請求項３】
請求項１記載の光ディスク装置であって、前記ウエイトは、前記シャフトの端部近傍に前記ストッパを設けたことを特徴とする光ディスク装置。
【請求項４】
請求項２記載の光ディスク装置であって、前記第１のフランジと、前記第２のフランジとは一体成形されていることを特徴とする光ディスク装置。
【発明の詳細な説明】
【技術分野】
【０００１】
本発明は、光ディスク装置が落下等により衝撃を受けた際の衝撃緩和技術に関する。
【背景技術】
【０００２】
光ディスク装置が落下等により衝撃を受けると、光ビックアップ内の光学部品の脱落や変形が発生し、光ディスク再生記録機能を喪失することがある。このため衝撃を緩和することが必須である。
【０００３】
従来技術においては、シャーシに、光ディスクを回転させるモータと、光ピックアップを光ディスクの半径方向に沿って移動させる送り機構を保持し、該送り機構内の主軸および副軸の終端に、緩衝体および板バネを設けて、光ピックアップの衝撃を緩和するように工夫している（例えば、特許文献１参照）。
【０００４】
また他の従来技術において、ベースシャーシに第１弾性体を介在して取り付けたシャーシに、光ディスクを回転させるモータと、光ディスクと光ピックアップを光ディスクの半径方向に沿って相対的に移動させる送り機構を保持し、かつシャーシに第２弾性体を介在してウエイトを取り付け、光ディスクが回転して振動が発生した際に、ウエイトが該振動と逆位相に振動することにより振動を除去するところの、通常ダイナミックダンパ機構と呼ばれている機構を採用している光ディスク装置が開示されている（例えば、特許文献２参照）。
【０００５】
【特許文献１】特開２００１−３１９４３６号公報
【０００６】
【特許文献２】特開２００１−１４８１５１号公報
【発明の開示】
【発明が解決しようとする課題】
【０００７】
しかしながら、上記特許文献１は、光ピックアップの衝撃を緩和するために、専用の緩衝体および板バネを設けているので、部品点数が増加し、取り付けに手間と時間がかかり、コストアップとなる課題がある。また上記特許文献２は、光ピックアップの衝撃を緩和する構成については何ら考慮されていない。
【０００８】
本発明の目的は、光ピックアップの衝撃を緩和するために専用の部品を使用しないダイナミックダンパ機構を有する光ディスク装置を提供することにある。
【課題を解決するための手段】
【０００９】
上記課題は、ベースシャーシに第１の弾性体を介して取り付けたシャーシと、該シャーシ上に設けられたシャフトと、該シャフト上を移動する光ピックアップと、前記シャーシに第２の弾性体を介して取り付けたウエイトとを具備し、前記ウエイトは、前記光ピックアップの移動経路上にストッパを設けた構成であることを特徴とする光ディスク装置により改善される。
【発明の効果】
【００１０】
本発明によれば、ダイナミックダンパ機構を有する光ディスク装置において、光ピックアップへの衝撃を緩和する構成を簡易に実現できる。
【発明を実施するための最良の形態】
【００１１】
以下、図面に基づき本発明による実施の形態について説明する。
【００１２】
図１は、本発明に係る光ディスク装置の実施の形態の構成図である。図１において、光ディスク装置１の内部においては、図示していないベースシャーシに弾性体である防振ゴム２を介在して取り付けたシャーシ３に、図示していない装着された光ディスクを回転させるスピンドルモータ４と、光ピックアップ５を光ディスクの半径方向に沿って移動させる送り機構を保持している。
【００１３】
ここで、送り機構は、シャーシ３に固定させた主軸６と副軸７を備え、主軸６と副軸７により光ピックアップ５が保持されており、光ピックアップ５に取り付けられたガイド爪８がステッピングモータ９のシャフトのスクリュウ部１０と係合していて、ステッピングモータ９のスクリュウ部１０の回転により、光ピックアップ５は図に示すＡＢ方向に移動する。必要な移動範囲は、装着された図示していない光ディスクのほぼ半径分である。
【００１４】
シャーシ３には、弾性体である防振ゴム１１を介在して止めネジ１２で取り付けたウエイト１３を備え、ダイナミックダンパ機構を構成している。次にこの機構を説明する。
【００１５】
まず、シャーシ３に保持されたスピンドルモータ４に装着された図示していない光ディスクの回転により発生する振動が、シャーシ３を介して伝播して伝わってくる。この振動が予め設定された振動周波数となると、ウエイト１３がシャーシ３の振動と逆位相に振動を始めて、シャーシ３の振動を相殺し振動を軽減する効果を発揮する。ウエイト１３は、その機能上からシャーシ３に平行に広い範囲で取り付けられることが多い。
一方、光ディスク装置1の落下等により、光ピックアップ５がＡ，Ｂ方向のように主軸６と副軸７に沿った方向への衝撃を受けると、衝撃加速度によっては、ガイド爪８とスクリュウ部１０との係合が外れ、光ピックアップ５は主軸６と副軸７に沿って加速され、内外周の所定の移動範囲を超えて、ウエイト１３に設けた内外周のストッパ１３ａ,１３ｂ,１３ｃ,１３ｄに激突することがある。
【００１６】
この際、激突する相手がシャ−シ３等のクッション性のない固定された部品であると、激突の加速度によっては、光ピックアップ５内の光学部品の脱落や変形が発生し、光ディスク再生記録の機能を喪失する場合もある。
【００１７】
このような状況を防止するため、本実施の形態においては、ウエイト１３の一部をストッパ形状として光ピックアップ５に積極的に当接させ、ダイナミックダンパ機構の防振ゴム１１を、ダンピング機能を持った緩衝材として兼用化した。なお、本実施の形態では、４ケ所のストッパを有するウエイト１３の構成としてあるが、事情に応じて１ケ所の使用でも可であり、使用箇所数を４と限定するものではない。
【００１８】
図２は、図１の防振ゴム１１の中心で断面した拡大側面図で、光ピックアップ５の衝撃を緩和するための構成の説明図である。防振ゴム１１は、ウエイト１３をはさむ第１のフランジ１１ａ、第２のフランジ１１ｂおよびフランジ１１ａ，１１ｂの間にあってウエイト１３を貫通して接触する軸部１１ｃで構成され、かつ軸部１１ｃの中心に設けた貫通穴に止めネジ１２が挿入されシャーシ３にねじ込まれて取り付けられている。なお、ここではネジを用いて固定する構成を示したが、貫通穴に嵌合する適当な部材であれば良い。
【００１９】
この構成によれば、光ピックアップ５がウエイト１３の例えばストッパ１３ｄに激突したときに、ウエイト１３と止めネジ１２の間に挟まれた防振ゴム１１の軸部１１ｃの弾性により、衝撃を緩和することができる。
【００２０】
図３は、図２と同様に防振ゴム１１の中心で断面した拡大側面図で、光ピックアップ５の衝撃を緩和するための他の構成の説明図である。防振ゴム１１は、第１のフランジ１１ａと第２のフランジ１１ｂと軸部１１ｃと第３のフランジ１１ｄとが一体成形されている。ここで軸部１１ｃは第３のフランジ１１ｄと一体成形のために図２に比べて下方の延在し、第３のフランジ１１ｄの横まで延在している。
【００２１】
この構成によっても、光ピックアップ５がウエイト１３の何れかのストッパに衝突したときに、ウエイト１３と止めネジ１２の間に挟まれた防振ゴム１１の軸部１１ｃの弾性により、衝撃を緩和することができる。
【００２２】
またウエイト１３の端部１３ｅに対向するシャーシ３に対向部３ａを備えている。対向部３ａに替えてベースシャーシからの対向部を対向させても良い。
【００２３】
このような構成とすることにより、光ピックアップ５に加わる衝撃が大きい場合、防振ゴムが大きくたわんでも、ウエイト１が脱落するのを防ぐことができる。
【図面の簡単な説明】
【００２４】
【図１】本発明に係る光ディスク装置の実施の形態の構成図である。
【図２】図１の防振ゴム１１の中心で断面した拡大側面図で、光ピックアップ５の衝撃を緩和するための構成の説明図である。
【図３】図１の防振ゴム１１の中心で断面した拡大側面図で、光ピックアップ５の衝撃を緩和するための他の構成の説明図である。
【符号の説明】
【００２５】
１…光ディスク装置、２…防振ゴム、３…シャーシ、３ａ…対向部、４…スピンドルモータ、５…光ピックアップ、６…主軸、７…副軸、８…ガイド爪、９…ステッピングモータ、１０…スクリュウ部、１１…防振ゴム、１１ａ，１１ｂ…フランジ、１１ｃ…軸部、１１ｄ…フランジ、１２…止めネジ、１３…ウエイト、１３ａ,１３ｂ,１３ｃ,１３ｄ…ストッパ、１３ｅ…端部。
【図１】
2005182907.tif 000003
【図２】
2005182907.tif 000004
【図３】
2005182907.tif 000005